(57)【要約】【課題】被介助者の移乗を介助する介助者の足、膝、腰等に対する負担を軽減する介助者用靴の中敷および介助者用靴を提供する。【解決手段】中敷１０の介助者の足２０の指２１が当接する足趾に対応する部分１１に、介助者の足２０の指２１により把持される突起部１２が形成されている。この突起部１２は、前縁部が介助者用靴の先端部の内縁に沿って湾曲し、後縁部が足２０の指２１の付根部に沿って湾曲し、略三日月形に形成されており、その最大厚Ｔは、８ｍｍ〜１２ｍｍに設定されている。【選択図】  図１
2016174830.tif 000002
【特許請求の範囲】
【請求項１】
被介助者を介助する介助者が使用する介助者用靴の底に挿入される介助者用靴の中敷であって、
前記介助者用靴の底の前記介助者の足の指が当接する足趾に対応する部分に、該介助者の足の指により把持される突起部が形成されていることを特徴とする介助者用靴の中敷。
【請求項２】
前記突起部は、
前縁部が前記介助者用靴の先端部の内縁に沿って湾曲し、後縁部が足の指の付根部に沿って湾曲した略三日月状の形状からなることを特徴とする請求項１に記載の介助者用靴の中敷。
【請求項３】
前記突起部の最大厚は、８ｍｍ〜１２ｍｍであることを特徴とする請求項１または２に記載の介助者用靴の中敷。
【請求項４】
前記突起部は、ダイラタント流体を用いて形成されていることを特徴とする請求項１乃至３のいずれか１項に記載の介助者用靴の中敷。
【請求項５】
被介助者を介助する介助者が使用する介助者用靴であって、
前記介助者用靴の底の前記介助者の足の指が当接する足趾に対応する部分に、該介助者の足の指により把持される突起部が形成されていることを特徴とする介助者用靴。
【請求項６】
前記突起部は、
前縁部が前記介助者用靴の先端部の内縁に沿って湾曲し、後縁部が足の指の付根に沿って湾曲した略三日月状の形状からなることを特徴とする請求項５に記載の介助者用靴。
【請求項７】
前記突起部の最大厚は、８ｍｍ〜１２ｍｍであることを特徴とする請求項５または６に記載の介助者用靴。
【請求項８】
前記突起部は、ダイラタント流体を用いて形成されていることを特徴とする請求項５乃至７のいずれか１項に記載の介助者用靴の中敷。
【発明の詳細な説明】
【技術分野】
【０００１】
この発明は、介助者用靴の中敷および介助者用靴に関し、詳しくは、被介助者の移乗を介助する介助者の足、膝、腰等に対する負担を軽減することを可能にした介助者用靴の中敷および介助者用靴に関する。
【背景技術】
【０００２】
一般に、下半身等に障害を有する身体不自由者にとって、ベッドと車椅子との間、車椅子と便座との間等での移乗は困難である場合が多い。そのために、これらの移乗に際して、介助者の介助が必要になる。
【０００３】
ベッドと車椅子との間、車椅子と便座との間等での移乗の介助は、一日に十数回に及ぶ場合があるので、これが介助者の膝痛、腰痛の発生の要因の１つになっている。
【０００４】
ところで、例えば、ベッドから車椅子への移乗時における介助者の介助を解析すると、以下に示す７期の動作区画に区分することができる。
【０００５】
１）開始期：寝ている被介護者の左肩と左膝裏を掴み支える。
【０００６】
２）起床期：被介護者を起き上がらせ座位姿勢にするため、被介護者の脚をベッドから降ろした後、臀部と右肩を支えながら引き起こす。
【０００７】
３）調整期：被介護者を引き上げる体勢を整えるために右肩を支えながらも、被介護者から離れ、左足を被介護者の脚の間に接地させる。
【０００８】
４）固定期：被介護者を引き上げるために被介護者の背部へ手を回し、掴み固定する。
【０００９】
５）引き上げ移動期：被介護者を介護者側に引き付けながら体を持ち上げ、被介護者の臀部が浮くと同時に車椅子側へ旋回を行いながらさらに持ち上げる。
【００１０】
６）降下期：被介護者の体が車椅子の上まで来ると、勢いを抑えながら被介護者を降ろす。
【００１１】
７）終了期：被介護者が車椅子へ着座すると立位状態に体勢を戻す。
【００１２】
そして、上記動作区画のうち、特に引き上げ移動期と降下期とで、介助者の足、膝、腰に対する負担が大きくなる。
【００１３】
介助者の足、膝、腰に対する負担を軽減する１つの手法として、介護者が使用する靴（以下、介護者用靴という）の中敷または介護者用靴の底に突起を設け、介助時における介助者の足裏の圧力分布を改善することが考えられる。
【００１４】
従来、靴の中敷に突起を設けた構成は、特許文献１乃至６に例示するように種々知られている。
【先行技術文献】
【特許文献】
【００１５】
【特許文献１】特開２０００−８３７０６号公報
【特許文献２】特開２００１−３５３００５号公報
【特許文献３】特開２００８−２００２５２号公報
【特許文献４】特開２０１３−５２２２３号公報
【特許文献５】特開２０１４−１３５９５８号公報
【特許文献６】国際公開ＷＯ２００３/０５５３４５号公報
【発明の概要】
【発明が解決しようとする課題】
【００１６】
しかしながら、特許文献１乃至６等に記載されたものは、いずれも足裏マッサージ等を目的とするもので、介助者の足、膝、腰に対する負担を軽減することができるものではない。
【００１７】
そこで、この発明は、被介助者の移乗を介助する介助者の足、膝、腰等に対する負担を軽減する介助者用靴の中敷および介助者用靴を提供することを目的とする。
【課題を解決するための手段】
【００１８】
上記目的を達成するため、請求項１の発明は、被介助者を介助する介助者が使用する介助者用靴の底に挿入される介助者用靴の中敷であって、前記介助者用靴の底の前記介助者の足の指が当接する足趾に対応する部分に、該介助者の足の指により把持される突起部が形成されていることを特徴とする。
【００１９】
請求項２の発明は、請求項１の発明において、前記突起部は、前縁部が前記介助者用靴の先端部の内縁に沿って湾曲し、後縁部が足の指の付根部に沿って湾曲した略三日月状の形状からなることを特徴とする。
【００２０】
請求項３の発明は、請求項１または２の発明において、前記突起部の最大厚は、８ｍｍ〜１２ｍｍであることを特徴とする。
【００２１】
請求項４の発明は、請求項１乃至３のいずれか１項の発明において、前記突起部は、ダイラタント流体を用いて形成されていることを特徴とする。
【００２２】
請求項５の発明は、被介助者を介助する介助者が使用する介助者用靴であって、前記介助者用靴の底の前記介助者の足の指が当接する足趾に対応する部分に、該介助者の足の指により把持される突起部が形成されていることを特徴とする。
【００２３】
請求項６の発明は、請求項５の発明において、前記突起部は、前縁部が前記介助者用靴の先端部の内縁に沿って湾曲し、後縁部が足の指の付根に沿って湾曲した略三日月状の形状からなることを特徴とする。
【００２４】
請求項７の発明は、請求項５または６の発明において、前記突起部の最大厚は、８ｍｍ〜１２ｍｍであることを特徴とする。
【００２５】
請求項８の発明は、請求項５乃至７のいずれか１項の発明において、前記突起部は、ダイラタント流体を用いて形成されていることを特徴とする。
【発明の効果】
【００２６】
この発明によれば、被介助者を介助する介助者が使用する介助者用靴の底に挿入される介助者用靴の中敷または介助者用靴であって、介助者用靴の底の介助者の足の指が当接する足趾に対応する部分に、該介助者の足の指により把持される突起部が形成されているように構成したので、簡易な構成で被介助者の移乗を介助する介助者の足、膝、腰等に対する負担を大幅に軽減することができるという効果を奏する。
【図面の簡単な説明】
【００２７】
【図１】図１は、この発明に係わる介助者用靴の中敷の一実施例を示す平面図および側面図である。
【図２】図２は、図１に示した介助者用靴の中敷に形成される突起部の平面図、正面図および側面図である。
【図３】図３は、図１に示した図１に示した介助者用靴の中敷の効果を説明するグラフである。
【図４】図４は、図１に示した図１に示した介助者用靴の中敷の効果を説明するグラフである。
【図５】図５は、図１に示した図１に示した介助者用靴の中敷の効果を説明するグラフである。
【図６】図６は、この発明に係わる介助者用靴の一実施例を示す側面図である。
【発明を実施するための形態】
【００２８】
以下、この発明に係わる介助者用靴の中敷および介助者用靴の実施の形態を添付図面を参照して詳細に説明する。
【００２９】
図１は、この発明に係わる介助者用靴の中敷の一実施例を示すもので、図１（Ａ）は、その平面図を示し、図１（Ｂ）は、その側面図を示す。また、図２は、図１に示した中敷１０の突起部１２を抜き出した、平面図（図２（Ａ））、正面図（図２（Ｂ））、側面図（図２（Ｃ））である。
【００３０】
図１および図２において、この発明に係る介助者用靴の中敷（以下、単に「中敷」という）１０は、被介助者を介助する介助者が被介助者の介助時に使用する図示しない介助者用靴の底に挿入される。
【００３１】
この中敷１０の特徴は、図１に示すように、中敷１０の介助者の足２０の指２１が当接する足趾に対応する部分１１に、介助者の足２０の指２１により把持される突起部１２が形成されていることである。
【００３２】
この突起部１２は、図１、図２に示すように、前縁部が介助者用靴の先端部の内縁に沿って湾曲し、後縁部が足２０の指２１の付根部に沿って湾曲した略三日月形に形成されている。
【００３３】
また、この突起部１２の最大厚Ｔは、図２（Ｂ）に示すように、８ｍｍ〜１２ｍｍに設定されている。
【００３４】
上記構成において、突起部１２は、中敷１０の本体部と別々に成形して、その後に、中敷１０の本体部の部分１１に、図２に示すような突起部１２を張り合わせるようにして製造してもよく、また、突起部１２と中敷１０の本体部とを一体に成形してもよい。
【００３５】
突起部１２と中敷１０の本体部と別々に成形する場合は、突起部１２を例えば、変形しやすく滑りにくいシリコン樹脂等から成形することができる。
【００３６】
また、突起部１２は、上記シリコン樹脂で形成する代わりに、ダイラタント流体を用いて形成してもよい。ダイラタント流体は、せん断速度によって粘度が変化する流体の総称であり、せん断速度が大きいほど粘度が高く固体のようになり、逆に小さいほど粘度が小さく液体のようになる。
【００３７】
そこで、ダイラタント流体を用いて突起部１２を形成すると、通常動作などのせん断速度が小さい動作では、足趾の形状に合った通常の足底部として機能し、移乗動作など足趾把持を急速に行うようなせん断速度が大きい動作では、固体のようになって上記シリコン樹脂等から成形した突起部１２と同様の機能を持たせることができる。
【００３８】
図３乃至図５は、図１に示した図１に示した介助者用靴の中敷の効果を説明するグラフである。図３乃至図５においては、被介助者が、ベッドからその左側におかれた車椅子に移動する際の介助者の各関節の挙動を示すもので、図３における、グラフ３０１は、通常の中敷を使用した場合の介助者の腰関節の角度の遷移の測定結果、グラフ３０１は、この発明の中敷１０を使用した場合の、介助者の腰関節の角度の遷移の測定結果を示す。
【００３９】
なお、図３乃至図５においては、移乗動作中最も腰、膝、足に負担のかかる引き上げ移動期、降下期の各関節の角度変化を対象とし、各動作区間で行われる動作を１動作とし、動作を１００％として時間の正規化を行った。また、各関節角度は解剖学的基本肢位を初期値（０度）としている。
【００４０】
図３から明らかなように、腰関節の角度遷移に関しては、引き上げ移動期においては、通常の中敷を使用した場合とこの発明の中敷１０を使用した場合とで大きな変化は見られなかったが、降下期においては、この発明の中敷１０を使用すると、通常の中敷を使用した場合と比較して、腰の屈曲の減少が見られ、伸展のピークが約３２度減少した。そのため、降下期において腰関節の屈曲が減り、動作中の前屈姿勢が減少した。
【００４１】
図４のグラフ４０１は、通常の中敷を使用した場合の介助者の左足の膝関節の角度の遷移の測定結果、グラフ４０２は、通常の中敷を使用した場合の介助者の右足の膝関節の角度の遷移の測定結果、グラフ４０３は、この発明の中敷１０を使用した場合の左足の膝関節の角度の遷移の測定結果、グラフ４０４は、この発明の中敷１０を使用した場合の右足の膝関節の角度の遷移の測定結果を示す。
【００４２】
図４から明らかなように、膝関節に関しては、引き上げ移動期において、この発明の中敷１０を使用した場合、両足の膝関節の角度は減少したが、降下期においては、この発明の中敷１０を使用した場合、左足の膝関節では、ピークが約１７度、左足の膝関節では、では約３１度増大した。そのため、降下期においては、より多く膝を屈曲させながら被介助者を降ろすことができることがわかる。
【００４３】
図５のグラフ５０１は、通常の中敷を使用した場合の介助者の左足の足関節の角度の遷移の測定結果、グラフ５０２は、通常の中敷を使用した場合の介助者の右足の足関節の角度の遷移の測定結果、グラフ５０３は、この発明の中敷１０を使用した場合の左足の足関節の角度の遷移の測定結果、グラフ５０４は、この発明の中敷１０を使用した場合の右足の足関節の角度の遷移の測定結果を示す。
【００４４】
図５から明らかなように、足関節に関しては、引き上げ移動期において、この発明の中敷１０を使用すると、底屈する右足関節の底屈ピークが通常の中敷を使用した場合と比較して、約１１度減少した。加えて、降下期に底屈する左足関節の底屈ピークが約１０度減少した。また、それぞれ底屈を行う足関節が交互になる引き上げ移動期、降下期において、底屈角度が減少したことで、各期の足底面の離地が減少したことがわかる。
【００４５】
次に、通常の中敷を使用した場合とこの発明の中敷１０を使用した場合とで、各部の筋電位における動作の比較を行うと、この発明の中敷１０を使用すると、動的バランスの保持が困難になる引き上げ移動期、降下期において、下肢の急な筋肉運動が減少した。加えて、降下期において両足の大腿直筋の筋電位のピークが減少したので、体幹の前屈を戻す動作が減少、もしくは負荷が減少したと考えられる。
【００４６】
また、この発明の中敷１０を使用すると、胸最長筋における引き上げ移動期での筋電位のピークが減少し、引き上げ移動機において腰部の負担が減少したことがわかる。
【００４７】
さらに、通常の中敷を使用した場合とこの発明の中敷１０を使用した場合とで、足底圧分布を測定すると、この発明の中敷１０を使用すると、右足の圧力分布において、足趾部はどの圧力段階においてもわずかに減少し、また、指球部の圧力は増大した。この結果から、この発明の中敷１０を使用すると、後方に体重をかけていない、もしくはかける回数が減少し、指球部寄りに体重をかけていたことがわかった。
【００４８】
一方で、左足の圧力分布では、足趾部の圧力がどの圧力段階においても大きく減少しており、加えて、両足とも中足部の圧力が増大した。
【００４９】
このように、この発明の中敷１０を使用すると、引き上げ移動期では、被介助者を抱えるため前方に重心が急激に寄り、不安定な状態になりがちだが、前方への重心動揺が減少したことで、右足関節の底屈角度が減少したと考えられ、同時に降下期においても前方への重心動揺が減少したことで左足関節の底屈角度が減少したと考えられる。
【００５０】
その結果、重心が安定した動作が可能になり、また、膝をより多く屈曲でき、腰関節の屈曲角度減少に繋がったと考えられる。同じく、急な重心制御を行わなくて済んだため左右の腓腹筋の筋電位も減少した。
【００５１】
また、この発明の中敷１０を使用すると、足底圧力分布からは、足底面全体で動作を行っていることになり、加えて、足趾把持が行われた結果、足趾直下に圧力をかけず指球部よりに圧力をかけることができ、移乗動作中において動的バランスが向上したと考えられる。
【００５２】
結果として、この発明の中敷１０を使用すると、足底圧分布が足趾部から指球部に多く移行したことから足趾把持が行われ、腰関節屈曲角度と足関節底屈角度が減少したことに加え、腓腹筋，大腿直筋の筋電位が減少したことから、通常の中敷を使用した場合と比較して、動的バランスを取りやすい体勢をとることができ、移乗動作中における動的バランスの向上に繋がることがわかる。
【００５３】
なお、上記実施例では、中敷１０の介助者の足２０の指２１が当接する足趾に対応する部分１１に、介助者の足２０の指２１により把持される突起部１２が形成されている構成について説明したが、上記中敷１０を用いずに、介助者用靴の靴底に上記中敷１０と同様の突起部１２を設けても上記実施例と同様の効果が得られる。
【００５４】
図６は、この発明に係わる介助者用靴の一実施例を示す側面図である。図６に示す実施例において、この発明に係わる介助者用靴３０は、その靴底３１の介助者の足の指が当接する足趾に対応する部分３１に、該介助者の足の指により把持される突起部３２が形成されている。
【００５５】
この突起部３２は、図１および図２に示した突起部１２と同様に、前縁部が介助者用靴の先端部の側壁に当接するように湾曲しており、後縁部が足の指の付根部に沿って湾曲し、略三日月形に形成されている。
【００５６】
また、この突起部３２の最大厚は、８ｍｍ〜１２ｍｍに設定されている。
【００５７】
以上が本発明の代表的な実施形態の一例であるが、本発明は、上記実施例及び図面に示す実施例に限定することなく、その要旨を変更しない範囲内で適宜変形して実施できるものである。
【符号の説明】
【００５８】
１０    中敷
１１    足趾に対応する部分
１２    突起部
３０    介助者用靴
３１    足趾に対応する部分
３２    突起部
【図１】
2016174830.tif 000003
【図２】
2016174830.tif 000004
【図３】
2016174830.tif 000005
【図４】
2016174830.tif 000006
【図５】
2016174830.tif 000007
【図６】
2016174830.tif 000008